(57)【要約】【課題】媒体を押し込むことができない場合に媒体の除去を容易に可能にすること。【解決手段】媒体（Ｓ）を冷却する一対の冷却部材（１，２）と、一方の冷却部材（１）と他方の冷却部材（２）とが離間する第２の位置に移動させる移動体（８）と、を有する冷却装置（Ｃｏ）と、媒体の搬送路（ＳＨ）と冷却装置（Ｃｏ）とを支持し、冷却装置（Ｃｏ）が画像形成装置（Ｕ）から引き出された位置に移動可能な引出体（１６）であって、冷却装置（Ｃｏ）の上流端（２１）から搬送路（ＳＨ）の下流端（２２）までの経路長（Ｌ１）が、使用可能な最大の媒体（Ｓ）の長さよりも長く設定された引出体（１６）と、引出体（１６）が収容された位置に移動し且つ移動体（８）が第２の位置に移動した場合に、第２の位置に移動した移動体（８）を収容する空間（１１）と、を備えた画像形成装置（Ｕ）。【選択図】図２
2014240919.tif 000002
【特許請求の範囲】
【請求項１】
媒体の搬送路を挟んで対向して配置され、媒体に接触して媒体を冷却する一対の冷却部材と、前記冷却部材を支持し、一方の冷却部材と他方の冷却部材とが対向する第１の位置と、前記一方の冷却部材と他方の冷却部材とが離間する第２の位置と、の間で前記冷却部材を移動させる移動体と、を有する冷却装置と、
前記媒体の搬送路と、前記冷却装置とを支持し、前記冷却装置が画像形成装置の内部に収容された位置と、前記冷却装置が前記画像形成装置から引き出された位置と、の間で移動可能な引出体であって、媒体の搬送方向に沿って、前記冷却装置の上流端から前記移動体に設けられた前記媒体の搬送路の下流端までの前記媒体の搬送路の経路長が、前記画像形成装置で使用可能な予め設定された最大の媒体の長さよりも長く設定された前記引出体と、
前記引出体が前記収容された位置に移動し且つ前記移動体が前記第２の位置に移動した場合に、前記第２の位置に移動した前記移動体を収容する空間と、
を備えたことを特徴とする画像形成装置。
【請求項２】
前記引出体が収容される方向の奥側に配置された回転軸を中心として、前記第１の位置と前記第２の位置との間で移動可能に支持された前記移動体、
を備えたことを特徴とする請求項１に記載の画像形成装置。
【請求項３】
無端状の帯状体により構成された前記冷却部材、
を備えたことを特徴とする請求項１または２に記載の画像形成装置。
【発明の詳細な説明】
【技術分野】
【０００１】
本発明は、画像形成装置に関する。
【背景技術】
【０００２】
従来の画像形成装置に関し、以下の特許文献１に記載の技術が知られている。
【０００３】
特許文献１としての特開平７−３０９４７８号公報には、用紙搬送ユニット（２０）がレール（９）により引出可能な構成が記載されている。特許文献１に記載の構成では、用紙搬送ユニット（２０）の入口ローラ対（１）と下流側の搬送ローラ対（６ａ）との間に、固定ガイド部材（２）と、回動ガイド部材（３）が配置されており、回動ガイド部材（３）は搬送方向の下流側の支持軸（１０）を中心として回動可能に支持されている。特許文献１に記載の用紙搬送ユニット（２０）において、紙詰まりが発生した場合、詰まった紙の全体がユニット（２０）に収容されている場合は、ユニット（２０）を引き出して詰まった紙を除去する。そして、詰まった紙の上流端が入口ローラ対（１）よりも上流側であることがセンサ（１３）で検知されると、搬送ローラ対（６ａ）が停止し且つ入口ローラ対（１）が回転して、紙の全体をユニット（２０）内に送り込んでいる。このとき、紙が座屈して折れ曲がるが、折れ曲がった紙に押されて、回動ガイド部材（３）が回動して、空間が広がり、折れ曲がった紙いわゆるアコーディオン状になって空間に収容される。
【先行技術文献】
【特許文献】
【０００４】
【特許文献１】特開平７−３０９４７８号公報（「００２３」〜「００２８」、図３）
【発明の概要】
【発明が解決しようとする課題】
【０００５】
本発明は、媒体を押し込むことができない場合に媒体の除去を容易に可能にすることを技術的課題とする。
【課題を解決するための手段】
【０００６】
前記技術的課題を解決するために、請求項１に記載の発明の画像形成装置は、
媒体の搬送路を挟んで対向して配置され、媒体に接触して媒体を冷却する一対の冷却部材と、前記冷却部材を支持し、一方の冷却部材と他方の冷却部材とが対向する第１の位置と、前記一方の冷却部材と他方の冷却部材とが離間する第２の位置と、の間で前記冷却部材を移動させる移動体と、を有する冷却装置と、
前記媒体の搬送路と、前記冷却装置とを支持し、前記冷却装置が画像形成装置の内部に収容された位置と、前記冷却装置が前記画像形成装置から引き出された位置と、の間で移動可能な引出体であって、媒体の搬送方向に沿って、前記冷却装置の上流端から前記移動体に設けられた前記媒体の搬送路の下流端までの前記媒体の搬送路の経路長が、前記画像形成装置で使用可能な予め設定された最大の媒体の長さよりも長く設定された前記引出体と、
前記引出体が前記収容された位置に移動し且つ前記移動体が前記第２の位置に移動した場合に、前記第２の位置に移動した前記移動体を収容する空間と、
を備えたことを特徴とする。
【０００７】
請求項２に記載の発明は、請求項１に記載の画像形成装置において、
前記引出体が収容される方向の奥側に配置された回転軸を中心として、前記第１の位置と前記第２の位置との間で移動可能に支持された前記移動体、
を備えたことを特徴とする。
【０００８】
請求項３に記載の発明は、請求項１または２に記載の画像形成装置において、
無端状の帯状体により構成された前記冷却部材、
を備えたことを特徴とする。
【発明の効果】
【０００９】
請求項１に記載の発明によれば、本発明の構成を有しない場合に比べて、媒体を押し込むことができない場合に媒体の除去を容易にすることができる。
請求項２に記載の発明によれば、奥側に回転軸が配置されない場合に比べて、媒体の除去作業を容易に行うことができる。
請求項３に記載の発明によれば、冷却部材が無端状の帯状体でない場合に比べて、効率的に冷却することができる。
【図面の簡単な説明】
【００１０】
【図１】図１は本発明の実施例１の画像形成装置の全体説明図である。
【図２】図２は本発明の実施例１の画像形成装置の要部の説明図である。
【図３】図３は実施例１の冷却装置を側方から見た図であり、図３Ａは冷却位置に移動した状態の説明図、図３Ｂは開放位置に移動した状態の説明図である。
【図４】図４は実施例１の冷却装置が開放された状態の正面図である。
【図５】図５は実施例１の画像形成装置の制御部分が備えている各機能をブロック図で示した図である。
【発明を実施するための形態】
【００１１】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
（実施例１のプリンタＵの全体構成の説明）
図１は本発明の実施例１の画像形成装置の全体説明図である。
図２は本発明の実施例１の画像形成装置の要部の説明図である。
図１、図２において、実施例１の画像形成装置の一例としてのプリンタＵは、プリンタの本体Ｕ１と、プリンタの本体Ｕ１に媒体を供給する供給装置の一例としてのフィーダーユニットＵ２と、画像が記録された媒体に対する処理を行う後処理装置の一例としての処理ユニットＵ３、画像が記録された媒体が排出される排出装置の一例としての排出ユニットＵ４と、利用者が操作を行う操作部ＵＩと、を有する。
【００１３】
（実施例１のマーキングの構成の説明）
図１、図２において、前記プリンタの本体Ｕ１は、プリンタＵの制御を行う制御部Ｃや、プリンタＵの外部に図示しない専用のケーブルを介して接続された情報の送信装置の一例としてのプリント画像サーバＣＯＭから送信された画像情報を受信する図示しない通信部、媒体に画像を記録する画像記録部の一例としてのマーキング部Ｕ１ａ等を有する。前記プリント画像サーバＣＯＭには、ケーブルまたはＬＡＮ：Local  Area  Network等の回線を通じて接続され、プリンタＵで印刷される画像の情報が送信される画像の送信装置の一例としてのパーソナルコンピュータＰＣが接続されている。
前記マーキング部Ｕ１ａは、像保持体の一例としてＹ：イエロー、Ｍ：マゼンタ、Ｃ：シアン、Ｋ：黒の各色用の感光体Ｐｙ，Ｐｍ，Ｐｃ，Ｐｋを有する。感光体Ｐｙ〜Ｐｋは、表面が感光性の誘電体で構成されている。
【００１４】
図１、図２において、黒色の感光体Ｐｋの周囲には、感光体Ｐｋの回転方向に沿って、帯電器ＣＣｋ、潜像の形成装置の一例としての露光機ＲＯＳｋ、現像器Ｇｋ、一次転写器の一例としての一次転写ロールＴ１ｋ、像保持体用の清掃器の一例としての感光体クリーナＣＬｋが配置されている。
他の感光体Ｐｙ，Ｐｍ，Ｐｃの周囲にも同様に、帯電器ＣＣｙ，ＣＣｍ，ＣＣｃ、露光機ＲＯＳｙ，ＲＯＳｍ，ＲＯＳｃ、現像器Ｇｙ，Ｇｍ，Ｇｃ、一次転写ロールＴ１ｙ，Ｔ１ｍ，Ｔ１ｃ、感光体クリーナＣＬｙ，ＣＬｍ，ＣＬｃが配置されている。
マーキング部Ｕ１ａの上部には、収容容器の一例として、現像器Ｇｙ〜Ｇｋに補給される現像剤が収容されたトナーカートリッジＫｙ，Ｋｍ，Ｋｃ，Ｋｋが着脱可能に支持されている。
【００１５】
各感光体Ｐｙ〜Ｐｋの下方には、中間転写体の一例であって、像保持体の一例としての中間転写ベルトＢが配置されており、中間転写ベルトＢは、感光体Ｐｙ〜Ｐｋと一次転写ロールＴ１ｙ〜Ｔ１ｋとの間に挟まれる。中間転写ベルトＢの裏面は、駆動部材の一例としてのドライブロールＲｄと、張力付与部材の一例としてのテンションロールＲｔと、蛇行防止部材の一例としてのウォーキングロールＲｗと、従動部材の一例としての複数のアイドラロールＲｆと、二次転写用の対向部材の一例としてのバックアップロールＴ２ａと、可動部材の一例としての複数のリトラクトロールＲ１と、前記一次転写ロールＴ１ｙ〜Ｔ１ｋにより支持されている。
中間転写ベルトＢの表面には、ドライブロールＲｄの近傍に、中間転写体の清掃器の一例としてのベルトクリーナＣＬＢが配置されている。
【００１６】
バックアップロールＴ２ａには、中間転写ベルトＢを挟んで、二次転写部材の一例としての二次転写ロールＴ２ｂが対向して配置されている。また、バックアップロールＴ２ａには、バックアップロールＴ２ａに現像剤の帯電極性とは逆極性の電圧を印加するために、接触部材の一例としてのコンタクトロールＴ２ｃが接触している。
前記バックアップロールＴ２ａ、二次転写ロールＴ２ｂ、コンタクトロールＴ２ｃにより、実施例１の２次転写器Ｔ２が構成されており、一次転写ロールＴ１ｙ〜Ｔ１ｋ、中間転写ベルトＢ、２次転写器Ｔ２等により、実施例１の転写装置Ｔ１，Ｂ，Ｔ２が構成されている。
【００１７】
２次転写器Ｔ２の下方には、媒体の一例としての記録シートＳが収容される収容部の一例として給紙トレイＴＲ１〜ＴＲ３が設けられている。各給紙トレイＴＲ１〜ＴＲ３の左斜め上方には、取出部材の一例としてのピックアップロールＲｐと、捌き部材の一例としての捌きロールＲｓとが配置されている。捌きロールＲｓから、記録シートＳが搬送される搬送路ＳＨが延びており、搬送路ＳＨに沿って、記録シートＳを下流側に搬送する搬送部材の一例としての搬送ロールＲａが複数配置されている。
搬送ロールＲａの下流側には、二次転写器Ｔ２への記録シートＳの搬送時期を調整する調整部材の一例としてのレジストレーションロールＲｒが配置されている。
なお、フィーダーユニットＵ２にも、給紙トレイＴＲ１〜ＴＲ３やピックアップロールＲｐ、捌きロールＲｓ、搬送ロールＲａと同様に構成された給紙トレイＴＲ４，ＴＲ５等が設けられており、給紙トレイＴＲ４，ＴＲ５からの搬送路ＳＨは、プリンタＵの本体Ｕ１の搬送路ＳＨに、レジストレーションロールＲｒの上流側で合流する。
【００１８】
二次転写ロールＴ２ｂに対して、記録シートＳの搬送方向の下流側には、媒体の搬送装置の一例としての搬送ベルトＨＢが複数配置されている。
搬送ベルトＨＢに対して、記録シートＳの搬送方向の下流側には、定着装置Ｆが配置されている。定着装置Ｆは、加熱部材の一例としての加熱ロールＦｈと、加圧部材の一例としての加圧ロールＦｐとを有する。加熱ロールＦｈの内部には、熱源の一例としてのヒータが収容されている。
定着装置Ｆの下流側の処理ユニットＵ３内には、冷却装置Ｃｏが配置されている。
冷却装置Ｃｏの下流側には、記録シートＳに記録された画像を読み取る画像読取装置Ｓｃが配置されている。
【００１９】
画像読取装置Ｓｃの下流側には、排出ユニットＵ４に向けて延びる搬送路ＳＨが形成されている。前記処理ユニットＵ３の内部には、搬送路の一例としての反転路ＳＨ２が形成されており、反転路ＳＨ２は搬送路ＳＨから下方に分岐する。搬送路ＳＨと反転路ＳＨ２との分岐部には、搬送方向の切替部材の一例としての第１のゲートＧＴ１が配置されている。
反転路ＳＨ２には、正逆回転可能な搬送部材の一例としてのスイッチバックロールＲｂが複数配置されている。スイッチバックロールＲｂの上流側には、反転路ＳＨ２の上流部から分岐して、搬送路ＳＨの反転路ＳＨ２との分岐部よりも下流側に合流する搬送路の一例としての接続路ＳＨ３が形成されている。反転路ＳＨ２と接続路ＳＨ３との分岐部には、搬送方向の切替部材の一例としての第２のゲートＧＴ２が配置されている。
【００２０】
前記反転路ＳＨ２の下部には、搬送路の一例としての循環路ＳＨ４が配置されている。循環路ＳＨ４は、反転路ＳＨ２から分岐して左方に延び、レジストレーションロールＲｒの上流側でプリンタＵの本体Ｕ１の搬送路ＳＨに合流する。循環路ＳＨ４には、搬送部材の一例としての搬送ロールＲａが配置されている。また、循環路ＳＨ４の反転路ＳＨ２からの分岐部には、搬送方向の切替部材の一例としての第３のゲートＧＴ３が配置されている。
【００２１】
排出ユニットＵ４には、排出される記録シートＳが積載される積載容器の一例としてのスタッカトレイＴＲｈが配置されており、搬送路ＳＨから分岐してスタッカトレイＴＲｈに延びる排出路ＳＨ５が設けられている。なお、実施例１の搬送路ＳＨは、排出ユニットＵ４の右方に、図示しない追加の排出ユニットや後処理装置が追加して装着された場合に、追加された装置に対して記録シートＳが搬送可能に構成されている。
【００２２】
（マーキングの動作）
前記プリンタＵでは、パーソナルコンピュータＰＣから送信された画像情報を、プリント画像サーバＣＯＭを介して受信すると、画像形成動作であるジョブが開始される。ジョブが開始されると、感光体Ｐｙ〜Ｐｋや中間転写ベルトＢ等が回転する。
感光体Ｐｙ〜Ｐｋは、図示しない駆動源により回転駆動される。
帯電器ＣＣｙ〜ＣＣｋは、予め設定された電圧が印加されて、感光体Ｐｙ〜Ｐｋの表面を帯電させる。
露光機ＲＯＳｙ〜ＲＯＳｋは、制御部Ｃからの制御信号に応じて、潜像を書き込む光の一例としてのレーザー光Ｌｙ，Ｌｍ，Ｌｃ，Ｌｋを出力して、感光体Ｐｙ〜Ｐｋの帯電された表面に静電潜像を書き込む。
現像器Ｇｙ〜Ｇｋは、感光体Ｐｙ〜Ｐｋの表面の静電潜像を可視像に現像する。
トナーカートリッジＫｙ〜Ｋｋは、現像器Ｇｙ〜Ｇｋにおける現像に伴って消費された現像剤の補給を行う。
【００２３】
一次転写ロールＴ１ｙ〜Ｔ１ｋは、現像剤の帯電極性とは逆極性の一次転写電圧が印加され、感光体Ｐｙ〜Ｐｋの表面の可視像を中間転写ベルトＢの表面に転写する。
感光体クリーナＣＬｙ〜ＣＬｋは、一次転写後に感光体Ｐｙ〜Ｐｋの表面に残留した現像剤を除去して清掃する。
中間転写ベルトＢは、感光体Ｐｙ〜Ｐｋに対向する一次転写領域を通過する際に、Ｙ，Ｍ，Ｃ，Ｋの順に、画像が転写されて積層され、２次転写器Ｔ２に対向する２次転写領域Ｑ４を通過する。なお、単色画像の場合は、１色のみの画像が転写されて２次転写領域Ｑ４に送られる。
【００２４】
ピックアップロールＲｐは、受信した画像情報の大きさや記録シートＳの指定と、収容された記録シートＳの大きさや種類等に応じて、記録シートＳの供給が行われる給紙トレイＴＲ１〜ＴＲ５から記録シートＳを送り出す。
捌きロールＲｓは、ピックアップロールＲｐから送り出された記録シートＳを１枚ずつ分離して捌く。
レジストレーションロールＲｒは、中間転写ベルトＢの表面の画像が２次転写領域Ｑ４に送られる時期に合わせて、記録シートＳを送り出す。
【００２５】
２次転写器Ｔ２は、コンタクトロールＴ２ｃを介してバックアップロールＴ２ａに予め設定された現像剤の帯電極性と同極性の２次転写電圧が印加され、記録シートＳに中間転写ベルトＢの画像を記録シートＳに転写する。
ベルトクリーナＣＬＢは、２次転写領域Ｑ４で画像が転写された後の中間転写ベルトＢの表面に残留した現像剤を除去して清掃する。
搬送ベルトＨＢは、２次転写器Ｔ２で画像が転写された記録シートＳを表面に保持して下流側に搬送する。
【００２６】
定着装置Ｆは、加熱ロールＦｈと加圧ロールＦｐとが接触する定着領域を通過する記録シートＳを加圧しながら加熱して、記録シートＳの表面の未定着画像を定着する。
冷却装置Ｃｏは、定着装置Ｆで加熱された記録シートＳを冷却する。
画像読取装置Ｓｃは、冷却装置Ｃｏを通過した記録シートＳの表面の画像を読み取る。なお、読み取られた画像は、原稿の画像と対比して、印刷不良の判定に使用したり、画像の位置ズレの判定等に使用可能である。
画像読取装置Ｓｃを通過した記録シートＳは、両面印刷が行われる場合には、第１のゲートＧＴ１が作動して、反転路ＳＨ２に搬送され、スイッチバックされて、循環路ＳＨ４を通じて、レジストレーションロールＲｒに再送され、２面目の印刷が行われる。
【００２７】
排出トレイＴＲｈに排出される記録シートＳは、搬送路ＳＨを搬送され、スタッカトレイＴＲｈに排出される。このとき、記録シートＳの表裏が反転された状態でスタッカトレイＴＲｈに排出される場合、搬送路ＳＨから反転路ＳＨ２に一旦搬入され、記録シートＳの搬送方向の後端が第２のゲートＧＴ２を通過後、第２のゲートＧＴ２が切り替わってスイッチバックロールＲｂが逆回転をして、接続路ＳＨ３を搬送されてスタッカトレイＴＲｈに搬送される。
スタッカトレイＴＲｈは、記録シートＳが積載され、記録シートＳの積載量に応じて、最上面が予め設定された高さとなるように、積載板ＴＲｈ１が自動的に昇降する。
【００２８】
（処理ユニットＵ３の説明）
図３は実施例１の冷却装置を側方から見た図であり、図３Ａは冷却位置に移動した状態の説明図、図３Ｂは開放位置に移動した状態の説明図である。
図４は実施例１の冷却装置が開放された状態の正面図である。
図１〜図３において、実施例１の冷却装置Ｃｏは、冷却部材の一例としての下ベルト１および上ベルト２を有する。各ベルト１，２は、無端状の帯状体により構成されている。
実施例１の下ベルト１は、支持部材の一例としての４つの下ロール３により張架されている。
【００２９】
下ロール３は、搬送路ＳＨの上流側に配置された第１の下ロール３ａを有する。第１の下ロール３ａに対して搬送路ＳＨの下流側には、第２の下ロール３ｂが配置されている。第２の下ロール３ｂの下方には、第３の下ロール３ｃが配置されている。第３の下ロール３ｃの左方且つ第１の下ロール３ａの左斜め下方には、第４の下ロール３ｄが配置されている。
各下ロール３ａ〜３ｄは、冷却装置の枠体の一例としての冷却フレーム４に支持されている。冷却フレーム４の前端には、施錠部の一例としてのロック突起４ａが支持されている。なお、第４の下ロール３ｄには、図示しない駆動源の一例としてのモータから駆動が伝達され、下ベルト１が回転される。
【００３０】
上ベルト２は、支持部材の一例としての５つの上ロール６により張架されている。上ロール６は、第１の下ロール３ａに対向する第１の上ロール６ａを有する。第２の下ロール３ｂに対向する位置には、第２の上ロール６ｂが配置されている。第２の上ロール６ｂの左上方には、第３の上ロール６ｃが配置されている。第３の上ロール６ｃの左方には、第４の上ロール６ｄが配置されている。第４の上ロール６ｄの下方且つ第１の上ロール６ａの左上方には、第５の上ロール６ｅが配置されている。
第１の上ロール６ａと第２の上ロール６ｂとの間には、放熱部材の一例としてのヒートシンク７が配置されている。ヒートシンク７は、上ベルト２の内周面に接触した状態で支持されている。
【００３１】
各上ロール６ａ〜６ｅおよびヒートシンク７は、移動体の一例としての回転フレーム８に支持されている。回転フレーム８は、後端部の回転軸８ａを中心として、冷却フレーム４に回転可能に支持されている。したがって、回転フレーム８は、第１の位置の一例としての図３Ａに示す冷却位置と、第２の位置の一例としての図３Ｂに示す開放位置との間で移動可能に構成されている。
なお、実施例１では、第４の上ロール６ｄには、図示しない駆動源の一例としてのモータから駆動が伝達され、上ベルト２が回転される。
また、実施例１の冷却装置Ｃｏには、回転フレーム８と冷却フレーム４との間に、付勢部材の一例としての図示しないバネが支持されており、回転フレーム８は、常時上方に付勢される。したがって、バネの弾性力が回転フレーム８を開放作業時に必要な力を補助し、作業者が操作に必要な力が低減される。
【００３２】
回転フレーム８の前端には、操作部材の一例としてのロックハンドル９が支持されている。ロックハンドル９は、操作部の一例としてのハンドル部９ａを有する。ハンドル部９ａは、後端部の回転軸９ｂにより、回転フレーム８に回転可能に支持されている。実施例１のハンドル部９ａは、作業者が操作可能に構成されている。ハンドル部９ａの下面には、解錠部の一例としてのロック爪９ｃが形成されている。ロック爪９ｃは、ハンドル部９ａからロック突起４ａに向けて延びており、ロック突起４ａに引っ掛かることが可能に構成されている。
なお、実施例１のロックハンドル９の回転軸９ｂには、弾性部材の一例としての図示しないトーションバネが装着されており、ロック爪９ｃがロック突起４ａに掛かる方向に常時付勢されている。
【００３３】
図１、図２、図４において、実施例１の処理ユニットＵ３では、上ベルト２の上方に、空間１１が設けられている。空間１１は、回転フレーム８が開放位置に移動して、上ベルト２の前側が上方に移動した場合に、上ベルト２や回転フレーム８を収容可能な広さが確保されている。
図１〜図４において、処理ユニットＵ３の上部には、引出体の一例としてのドロワ１６が配置されている。実施例１のドロワ１６は、左右一対のレール１７により処理ユニットＵ３に対して前後方向に移動可能に支持されている。
【００３４】
前記ドロワ１６には、冷却装置Ｃｏの冷却フレーム４や、画像読取装置Ｓｃの一部を構成する下部の媒体搬送部１８、搬送路ＳＨや反転路ＳＨ２の一部、接続路ＳＨ３、ゲートＧＴ１，ＧＴ２等が支持されている。したがって、ドロワ１６が処理ユニットＵ３に対して出し入れされると、ドロワ１６に支持された各部材が一体的に移動する。
なお、実施例１の処理ユニットＵ３では、冷却装置Ｃｏにおけるベルト１，２が接触する上流端２１から、ドロワユニットＵ３に支持された搬送路ＳＨの下流端２２までの経路長Ｌ１が、プリンタＵで使用可能な予め設定された最大の媒体の長さよりも長く設定されている。一例として、使用可能な最大の媒体がＡ３ＳＥＦ（Short Edge Feed：短辺送り）の場合、経路長Ｌ１は、Ａ３ＳＥＦの搬送方向の長さである４２０［ｍｍ］よりも長い長さに構成されている。
また、実施例１の処理ユニットＵ３では、前記上流端２１から、処理ユニットＵ３の搬入口２３までの経路長Ｌ２は、最大の媒体の長さよりも短く構成されている。
【００３５】
なお、実施例１の処理ユニットＵ３には、媒体の検知装置の一例としてのシートセンサＳＮ１〜ＳＮ５が配置されている。実施例１の処理ユニットＵ３では、第１のシートセンサＳＮ１が上流端２１の近傍に配置されている。また、第２のシートセンサＳＮ２は、処理ユニットＵ３の搬送路ＳＨと反転路ＳＨ２とが分岐する位置の近傍に配置されている。また、第３のシートセンサＳＮ３は、処理ユニットＵ３の搬送路ＳＨの出口近傍に配置されている。さらに、第４のシートセンサＳＮ４は、反転路ＳＨ２のドロワ１６に支持された下端部に配置されている。また、第５のシートセンサＳＮ５は、接続路ＳＨ３の上流端に配置されている。なお、実施例１のプリンタＵでは、搬送路ＳＨ等には、図示しない複数のシートセンサが配置されているが、説明の複雑化を避けるために適宜省略している。また、シートセンサの位置や数は、設計や仕様等に応じて任意に変更可能である。
【００３６】
（実施例１の制御部の説明）
図５は実施例１の画像形成装置の制御部分が備えている各機能をブロック図で示した図である。
図５において、プリンタの本体Ｕ１の制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００３７】
（プリンタの本体Ｕ１の制御部Ｃに接続された信号出力要素）
前記プリンタ本体Ｕ１の制御部Ｃは、操作部ＵＩや各シートセンサＳＮ１〜ＳＮ５等の信号出力要素からの出力信号が入力されている。
操作部ＵＩは、電源の投入部の一例としての電源ボタンＵＩ１や、表示部の一例としての表示パネルＵＩ２、数字入力部ＵＩ３、矢印入力部ＵＩ４等を備えている。
各シートセンサＳＮ１〜ＳＮ５は、各シートセンサＳＮ１〜ＳＮ５の位置を通過するシートＳを検知する。
【００３８】
（プリンタ本体Ｕ１の制御部Ｃに接続された被制御要素）
プリンタ本体Ｕ１の制御部Ｃは、主駆動源の駆動回路Ｄ１や、電源回路Ｅ、その他の図示しない制御要素に接続されている。制御部Ｃは、各回路Ｄ１，Ｅ等へ、それらの制御信号を出力している。
Ｄ１：主駆動源の駆動回路
主駆動源の駆動回路Ｄ１は、主駆動源の一例としてのメインモータＭ１を介して感光体Ｐｙ〜Ｐｋや中間転写ベルトＢ等を回転駆動する。
【００３９】
Ｅ：電源回路
前記電源回路Ｅは、現像用の電源回路Ｅａ、帯電用の電源回路Ｅｂ、転写用の電源回路Ｅｃ、定着用の電源回路Ｅｄ等を有している。
Ｅａ：現像用の電源回路
現像用の電源回路Ｅａは、現像器Ｇｙ〜Ｇｋの現像ロールに現像電圧を印加する。
Ｅｂ：帯電用の電源回路
帯電用の電源回路Ｅｂは、帯電器ＣＣｙ〜ＣＣｋそれぞれに感光体Ｐｙ〜Ｐｋ表面を帯電させるための帯電電圧を印加する。
Ｅｃ：転写用の電源回路
転写用の電源回路Ｅｃは、一次転写ロールＴ１ｙ〜Ｔ１ｋや２次転写ロールＴ２ｂに転写電圧を印加する。
Ｅｄ：定着用の電源回路
定着用の電源回路Ｅｄは、定着装置Ｆの加熱ロールＦｈにヒータ加熱用の電力を供給する。
【００４０】
（プリンタ本体Ｕ１の制御部Ｃの機能）
プリンタ本体Ｕ１の制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、パーソナルコンピュータＰＣから入力された画像情報に応じて、プリンタＵの各部材の駆動や各電圧の印加時期等を制御して、画像形成動作であるジョブを実行する。
Ｃ２：駆動源の制御手段
駆動源の制御手段Ｃ２は、主駆動源の駆動回路Ｄ１を介してメインモータＭ１の駆動を制御し、感光体Ｐｙ〜Ｐｋ等の駆動を制御する。
Ｃ３：電源回路の制御手段
電源回路の制御手段Ｃ３は、各電源回路Ｅａ〜Ｅｄを制御して、各部材へ印加される電圧や、各部材へ供給される電力を制御する。
【００４１】
Ｃ４：紙詰まりの判定手段
紙詰まりの判別手段Ｃ４は、シートセンサＳＮ１〜ＳＮ５の検出結果に基づいて、紙詰まりが発生したか否かの判定を行う。実施例１の紙詰まりの判定手段Ｃ４は、シートセンサＳＮ１〜ＳＮ５の検出結果に基づいて、紙詰まりの発生した位置の判定も行う。具体的には、実施例１の紙詰まりの判定手段Ｃ４は、記録シートＳの搬送速度に応じて、各シートセンサＳＮ１〜ＳＮ５毎に、記録シートＳがシートセンサＳＮ１〜ＳＮ５の位置に、予め設定された第１の時間が経過しても到達していないか否かを判定する。すなわち、記録シートＳがシートセンサＳＮ１〜ＳＮ５の位置に到達してシートセンサＳＮ１〜ＳＮ５が記録シートＳを検出するはずの時期になっても、記録シートＳが検出されない場合、シートセンサＳＮ１〜ＳＮ５の上流側で紙詰まりが発生していると判定する。
【００４２】
また、実施例１の紙詰まりの判定手段Ｃ４は、各シートセンサＳＮ１〜ＳＮ５毎に、シートセンサＳＮ１〜ＳＮ５が記録シートＳを検出してから予め設定された第２の時間が経過しても、記録シートＳが通過しないか否かを判定する。すなわち、記録シートＳがシートセンサＳＮ１〜ＳＮ５の位置を通過してシートセンサＳＮ１〜ＳＮ５が記録シートＳを検出しなくなるはずの時期になっても、記録シートＳが検出され続けている場合、シートセンサＳＮ１〜ＳＮ５の位置で紙詰まりが発生していると判定する。
よって、各シートセンサＳＮ１〜ＳＮ５の判定結果を総合することで、紙詰まりの発生位置を特定可能である。
よって、実施例１の紙詰まりの判定手段Ｃ４は、紙詰まりの発生と、紙詰まりの発生位置とを判定する。また、実施例１の紙詰まりの判定手段Ｃ４は、判定の結果、紙詰まりが発生した場合、紙詰まりが発生したことと、発生した位置とを表示パネルＵＩ２に表示させる。
【００４３】
（実施例１の処理ユニットＵ３の作用）
前記構成を備えた実施例１のプリンタＵの処理ユニットＵ３では、画像形成動作が実行される場合、図１、図２に示す冷却位置に保持される。冷却位置では、図３Ａに示すように、ロック爪９ｂがロック突起４ａに掛かった状態となり、回転フレーム８が冷却位置に保持される。したがって、下ベルト１に上ベルトが対向、接触した状態で保持される。よって、ベルト１，２の回転に伴って、記録シートＳを下流側に搬送可能であると共に、定着装置Ｆで加熱された記録シートＳは、ベルト１，２に接触して搬送される際に、冷却される。
【００４４】
処理ユニットＵ３の内部の搬送路ＳＨで記録シートＳが詰まった場合、紙詰まりの発生と、紙詰まりの位置が検出される。紙詰まりを除去する場合に、ドロワ１６とドロワ１６以外の部分との間に記録シートＳが跨った状態でドロワ１６を引き出すと、跨った記録シートＳが引き裂かれる恐れがある。記録シートＳが引き裂かれると、除去作業が面倒になったり、一部が残って除去しきれず、再び紙詰まりの原因となる等の問題がある。
実施例１の処理ユニットＵ３では、上流端２１から下流側の経路長Ｌ１が最大の記録シートＳの長さよりも長い。したがって、紙詰まりの位置に基づいて、処理ユニットＵ３内の搬送路ＳＨで紙詰まりが発生し、且つ、記録シートＳの後端が上流端２１を通過している場合、記録シートＳは、ドロワ１６内に納まっている。したがって、記録シートＳは、ドロワ１６と、ドロワ１６以外の部分との間に跨った状態となっていない。よって、ドロワ１６を前方に引き出すと、記録シートＳを容易に除去可能である。
【００４５】
また、実施例１の処理ユニットＵ３において、処理ユニットＵ３内の搬送路ＳＨで紙詰まりが発生し、且つ、記録シートＳの後端が上流端２１を通過していない場合、記録シートＳがドロワ１６と、それ以外の部分との間に跨った状態となっている可能性がある。
このとき、特許文献１に記載の技術のように、ローラ対で記録シートを搬送する構成では、紙詰まりが発生した場合に、入口ロールで強制的に送り込むことも可能である。しかし、本願の構成のように、ベルト１，２を有する構成では、ベルト１，２が可撓性を有しおり、上流側から強制的に記録シートを送り込もうとしても、ベルト１，２が変形しやすい。したがって、記録シートが座屈しにくいと共に、記録シートがベルト１，２を押して、ベルト１，２が破損する恐れもある。したがって、ベルト１，２を有する構成では、記録シートを強制的に送り込む構成を採用することは困難である。したがって、ベルト１，２の部分で紙詰まりが発生した場合、ドロワ１６を引き出して跨った紙を除去しようとすると、紙が引き裂かれてしまう恐れがある。
【００４６】
これに対して、実施例１の処理ユニットＵ３では、空間１１が設けられており、上ベルト２が下ベルト１に対して開放することが可能になっている。すなわち、ドロワ１６を引き出さずに、ロックハンドル９を操作して、図３Ｂ、図４に示す開放位置に移動させることが可能になっている。よって、ドロワ１６を引き出さない状態で、ベルト１，２に挟まった記録シートＳを除去することが可能である。よって、ベルト１，２を有する構成において、記録シートＳが引き裂かれることが低減される。
【００４７】
また、実施例１では、回転フレーム８の回転軸８ａが、処理ユニットＵ３の後端部に配置されている。したがって、回転軸が搬送方向の上流側や下流側に設けられている構成や上方にスライドするように移動する構成に比べて、回転フレーム８を開放位置に移動した場合に、ベルト１，２の前側が大きく開放されやすく、内部が見通しやすくなる。よって、紙詰まりの除去作業が行いやすくなっている。
さらに、実施例１では、冷却装置Ｃｏの上下両側がベルト１，２で構成されており、ローラで構成される場合に比べて、通過する記録シートＳとの接触面積が広くなり、冷却効率が向上する。
【００４８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）前記実施例において、画像形成装置の一例としてのプリンタＵを例示したが、これに限定されず、例えば、複写機、ＦＡＸ、あるいはこれらの複数または全ての機能を有する複合機等により構成することも可能である。
（Ｈ02）前記実施例において、プリンタＵとして、４色の現像剤が使用される構成を例示したが、これに限定されず、例えば、単色の画像形成装置や、３色以下または５色以上の多色の画像形成装置にも適用可能である。
【００４９】
（Ｈ03）前記実施例において、例示した具体的な数値やパラメータに関しては、設計や仕様等に応じて任意に変更可能である。
（Ｈ04）前記実施例において、回転軸８ａの位置は、ドロワ１６の引き出し方向の奥側に配置することが望ましいが、これに限定されない。すなわち、搬送方向の上流側や下流側に配置することも可能である。
（Ｈ05）前記実施例において、ベルト１，２を開閉する場合に、上ベルト１を回転移動させる構成を例示したが、これに限定されない。例えば、下ベルトを下方に回転させる構成としたり、上下両方のベルト１，２を互いに回転移動させる構成とすることも可能である。また、ベルト１，２の一方が他方に対して上下方向にスライド移動する構成としたり、両方が上下方向に互いに接近、離間する方向に移動する構成とすることも可能である。
【符号の説明】
【００５０】
１，２…冷却部材、
８…移動体、
８ａ…回転軸、
１１…空間、
１６…引出体、
２１…上流端、
２２…下流端、
Ｃｏ…冷却装置、
Ｌ１…経路長、
Ｓ…媒体、
ＳＨ…搬送路、
Ｕ…画像形成装置。
【図１】
2014240919.tif 000003
【図２】
2014240919.tif 000004
【図３】
2014240919.tif 000005
【図４】
2014240919.tif 000006
【図５】
2014240919.tif 000007